(57)【要約】【課題】撮像装置において、装着された交換レンズのフォーカス補正情報を作成してフォーカス補正制御を行うことを可能とする。【解決手段】撮像装置１２７は、焦点距離が可変である交換レンズ１１６の着脱が可能である。該撮像装置は、該撮像装置に装着された交換レンズの焦点距離が特定焦点距離に設定された状態で該交換レンズのフォーカス補正情報を作成する補正情報作成手段１２６と、ユーザの操作に応じてフォーカス補正情報を特定焦点距離に関連付けて記憶手段１２１に記憶させる登録手段１２６と、交換レンズの焦点距離が変更されたときに、変更後の焦点距離と記憶手段から読み出したフォーカス補正情報とを用いて交換レンズのフォーカス補正制御を行う制御手段１２６とを有する。【選択図】図１
2010256739.tif 000002
【特許請求の範囲】
【請求項１】
焦点距離が可変である交換レンズの着脱が可能な撮像装置であって、
該撮像装置に装着された前記交換レンズの焦点距離が特定焦点距離に設定された状態で該交換レンズのフォーカス補正情報を作成する補正情報作成手段と、
ユーザの操作に応じて前記フォーカス補正情報を前記特定焦点距離に関連付けて記憶手段に記憶させる登録手段と、
前記交換レンズの焦点距離が変更されたときに、該変更後の焦点距離と前記記憶手段から読み出した前記フォーカス補正情報とを用いて前記交換レンズのフォーカス補正制御を行う制御手段とを有することを特徴とする撮像装置。
【請求項２】
前記登録手段は、該撮像装置に装着された前記交換レンズから取得した該交換レンズの固有情報と前記フォーカス補正情報とを関連付けて前記記憶手段に記憶させ、
前記制御手段は、前記記憶手段に前記固有情報に関連付けられて記憶された前記フォーカス補正情報を用いて前記フォーカス補正制御を行うことを特徴とする請求項１に記載の撮像装置。
【請求項３】
前記補正情報作成手段は、前記交換レンズの焦点距離が前記特定焦点距離に設定された状態において、該交換レンズのフォーカスが合ったときのフォーカスレンズの位置から前記フォーカス補正情報を作成することを特徴とする請求項１又は２に記載の撮像装置。
【請求項４】
前記登録手段は、ユーザに対して、前記交換レンズの焦点距離の前記特定焦点距離への設定を指示するためのガイド情報を提示することを特徴とする請求項１から３のいずれか１つに記載の撮像装置。
【請求項５】
請求項１から４のいずれか１つに記載の撮像装置に装着される交換レンズであって、
前記記憶手段を有することを特徴とする交換レンズ。
【請求項６】
焦点距離が可変である交換レンズの着脱が可能な撮像装置の制御方法であって、
該撮像装置に装着された前記交換レンズの焦点距離が特定焦点距離に設定された状態で該交換レンズのフォーカス補正情報を作成するステップと、
ユーザの操作に応じて前記フォーカス補正情報を前記特定焦点距離に関連付けて記憶手段に記憶させるステップと、
前記交換レンズの焦点距離が変更されたときに、該変更後の焦点距離と前記記憶手段から読み出したフォーカス補正情報とを用いて交換レンズのフォーカス補正制御を行うステップとを有することを特徴とする撮像装置の制御方法。
【発明の詳細な説明】
【技術分野】
【０００１】
本発明は、交換レンズの着脱が可能な撮像装置に関し、特に交換レンズのズーム動作によるピントずれを補正する機能を有する撮像装置に関する。
【背景技術】
【０００２】
レンズ交換タイプの撮像装置に装着される交換レンズにおいては、ワイド側とテレ側のうち一方の焦点距離で被写体にピントが合った状態から他方の焦点距離にズーム動作をしたときでも、同じ被写体にピントが合っていることが望ましい。
【０００３】
このため、従来の交換レンズ又は撮像装置では、ズーム動作に伴う像面変動を補正するためにズーム動作に応じてフォーカスレンズを移動させる、いわゆるズームトラッキング制御（フォーカス補正制御）が行われることが多い（例えば、特許文献１参照）。ズームトラッキング制御には、変倍レンズの位置（焦点距離）と被写体距離と合焦が得られるフォーカスレンズの位置との関係を示すズームトラッキングデータ（フォーカス補正情報）が必要である。
【先行技術文献】
【特許文献】
【０００４】
【特許文献１】特開平０１−３２１４１６号公報
【発明の概要】
【発明が解決しようとする課題】
【０００５】
ズームトラッキングデータを撮像装置に予め記憶させてズームトラッキング制御を行う場合、該撮像装置に装着可能な様々なタイプの交換レンズごとにズームトラッキングデータを撮像装置に記憶させておく必要がある。
【０００６】
しかしながら、撮像装置に装着可能な交換レンズには、予め撮像装置にズームトラッキングデータを記憶させておくことができるものだけでなく、予め該データを記憶させておくことができないもの（新規に製品化された又は他社製の交換レンズ）がある。そして、予めズームトラッキングデータを記憶させておくことができない交換レンズが撮像装置に装着された場合には、該撮像装置においてズームトラッキング制御を行うことができない。
【０００７】
本発明は、装着された交換レンズのフォーカス補正情報を作成してフォーカス補正制御を行うことが可能な撮像装置を提供する。
【課題を解決するための手段】
【０００８】
本発明の一側面としての撮像装置は、焦点距離が可変である交換レンズの着脱が可能である。該撮像装置は、該撮像装置に装着された交換レンズの焦点距離が特定焦点距離に設定された状態で該交換レンズのフォーカス補正情報を作成する補正情報作成手段と、ユーザの操作に応じてフォーカス補正情報を特定焦点距離に関連付けて記憶手段に記憶させる登録手段と、交換レンズの焦点距離が変更されたときに、変更後の焦点距離と記憶手段から読み出したフォーカス補正情報とを用いて交換レンズのフォーカス補正制御を行う制御手段とを有することを特徴とする。
また、本発明の他の一側面としての制御方法は、焦点距離が可変である交換レンズの着脱が可能な撮像装置に適用される。該制御方法は、該撮像装置に装着された交換レンズの焦点距離が特定焦点距離に設定された状態で該交換レンズのフォーカス補正情報を作成するステップと、ユーザの操作に応じてフォーカス補正情報を特定焦点距離に関連付けて記憶手段に記憶させるステップと、交換レンズの焦点距離が変更されたときに、変更後の焦点距離と記憶手段から読み出したフォーカス補正情報とを用いて交換レンズのフォーカス補正制御を行うステップとを有することを特徴とする。
【発明の効果】
【０００９】
本発明では、撮像装置に装着された交換レンズのフォーカス補正情報を作成し、該フォーカス補正情報を用いてフォーカス補正制御を行う。このため、本発明によれば、予めフォーカス補正情報が撮像装置に記憶されていない交換レンズが撮像装置に装着された場合でも、該撮像装置によって該交換レンズのフォーカス補正制御を行うことができる。
【図面の簡単な説明】
【００１０】
【図１】本発明の実施例である撮像装置の構成を示すブロック図。
【図２】実施例の撮像装置で行われるフォーカス補正情報の登録処理を示すフローチャート。
【図３】実施例の撮像装置において交換レンズの焦点距離設定を指示するガイド情報の表示例を示す図。
【図４】実施例の撮像装置で行われるフォーカス補正制御（ズームトラッキング制御）を示すフローチャート。
【図５】実施例の撮像装置において作成されるズームトラッキングデータの例を示す図。
【図６】実施例の撮像装置において作成されるズームトラッキングデータの他の例を示す図。
【発明を実施するための形態】
【００１１】
以下、本発明の実施例について図面を参照しながら説明する。
【実施例１】
【００１２】
図１には、本発明の実施例である撮像装置としての一眼レフデジタルカメラの構成を示す。なお、ここでは一眼レフデジタルカメラについて説明するが、本発明は、レンズ交換タイプのビデオカメラにも適用することができる。
図１において、１２７はカメラ本体、１１６はカメラ本体１２７に着脱可能な交換レンズである。交換レンズ１１６は、焦点距離が可変であるズームレンズである。なお、カメラ本体１２７には、図示した交換レンズ１１６に限らず、複数の異なるタイプの交換レンズを選択的に装着可能である。
【００１３】
交換レンズ１１６において、１０１は撮影光学系である。該撮影光学系には、光軸方向に移動して変倍（ズーム）を行う変倍レンズ１０１ａと、光軸方向に移動して変倍に伴う像面変動補正と焦点調節とを行うフォーカスレンズ１０１ｂと、光量を調節する不図示の絞りとが含まれている。１１３はフォーカスレンズ１０１ｂを光軸方向に移動させるレンズ駆動モータであり、１１４は該レンズ駆動モータ１１３を制御するレンズ駆動回路である。変倍レンズ１０１ａは、交換レンズ１１６に設けられた不図示のズーム操作部材が操作されることで、そのマニュアル操作力又はアクチュエータの駆動力によって光軸方向に移動される。
また、１１５はカメラ本体１２７との通信を行うためのレンズ通信回路である。１２８はメモリ（ＥＥＰＲＯＭ）である。
カメラ本体１２７において、１１２は撮影光学系１０１を通過した被写体からの光によって形成された被写体像を光電変換するＣＣＤセンサやＣＭＯＳセンサ等の撮像素子である。撮像素子１１２は、被写体像の明るさに応じた電荷を蓄積し、該電荷をアナログ信号として出力する。
【００１４】
１０２は半透過部を有する主ミラーであり、後述するファインダ光学系による被写体観察を可能とし、かつ撮影光学系１０１の焦点状態の検出が行われる際には、図に示すように、撮影光学系１０１から撮像素子１１２までの撮影光路内に斜めに配置される。また、主ミラー１０２は、撮像素子１１２から出力を用いて記録用画像を取得する際には、撮影光路外に退避する。
主ミラー１０２は、撮影光路内に配置された状態で、撮影光学系１０１を通過した光の一部をピント板１０３、ペンタプリズム１０４および接眼レンズ１０５により構成されるファインダ光学系に導く。
【００１５】
１０６はサブミラーであり、主ミラー１０２とともに撮影光路の内外に移動する。主ミラー１０２の半透過部を通過した光は、サブミラー１０６によって下方へ反射され、焦点検出部１０７に入射する。焦点検出部１０７には焦点検出光学系と焦点検出センサとが設けられており、焦点検出光学系により形成された２つの被写体像の位相差が焦点検出センサにより検出される。焦点検出回路１０８は、焦点検出センサにより検出された位相差に基づいて、撮影光学系１０１の焦点状態（デフォーカス量）を算出する。
【００１６】
１２６はカメラ本体１２７および交換レンズ１１６により構成されるカメラシステム全体の制御を司る、ＣＰＵ等により構成されるシステムコントローラである。システムコントローラ１２６には、上述した焦点検出回路１０８と、主ミラー１０２およびサブミラー１０６を移動させるミラー駆動回路１０９と、フォーカルプレーンシャッター１１１を制御するシャッター制御回路１１０とが接続されている。
【００１７】
さらに、システムコントローラ１２６には、上述したレンズ通信回路１１５が、不図示のレンズマウントに設けられた電気接点を介して接続されている。レンズ通信回路１１５は、システムコントローラ１２６から送信された通信コマンドを解析し、該通信コマンドに対応したレンズ情報をシステムコントローラ１２６に返送する。通信コマンドには、交換レンズ１１６の固有情報であるレンズ識別情報（レンズ機種名、製造番号等）の送信要求が含まれ、これを受けたレンズ通信回路１１５は、メモリ１２８に記憶されたレンズ識別情報をシステムコントローラ１２６に返送する。これにより、システムコントローラ１２６は、装着されている交換レンズ１１６のレンズ識別情報を取得することができる。
【００１８】
また、システムコントローラ１２６には、カメラシステムを制御するためのパラメータやデータを記憶した記憶手段としてのメモリ（ＥＥＰＲＯＭ）１２１が接続されている。
さらに、システムコントローラ１２６には、画像の生成および記録のための制御をシステムコントローラ１２６からの命令に基づいて実行する画像データコントローラ１１９が接続されている。
画像データコントローラ１１９には、撮像素子１１２から出力されるアナログ信号をデジタル信号に変換するＡ／Ｄコンバータ１１７と、Ａ／Ｄコンバータ１１７から出力されたデジタル信号を処理して画像データを生成する画像処理回路１１８とが接続されている。さらに、画像データコントローラ１１９には、生成された画像データを一時的に記憶するための画像メモリ（ＤＲＡＭ）１２０と、画像メモリ１２０に記憶された画像データの圧縮を行う画像圧縮回路１２２とが接続されている。
【００１９】
画像圧縮回路１２２で圧縮された画像データは、カメラ本体１２７に着脱可能な記録媒体（半導体メモリや光ディスク等）１２３に記録される。
【００２０】
１２４はＬＣＤ等の表示素子を含む表示回路であり、画像データコントローラ１１９から送られてくる画像データや、後述するフォーカス補正情報の登録画面（ユーザーインタフェース）をシステムコントローラ１２６の命令に基づいて表示する。
そして、システムコントローラ１２６は、フォーカス補正情報を作成する補正情報作成手段、および該フォーカス補正情報をメモリ１２１に記憶させる（登録する）登録手段として機能する。さらに、システムコントローラ１２６は、メモリ１２１に記憶されたフォーカス補正情報を用いて、フォーカスレンズ１０１ｂの像面変動補正のためのフォーカス補正制御を行う制御手段としても機能する。
１２５はユーザによって操作される操作部（操作手段）である。該操作部１２５は、カメラシステムの電源をＯＮ／ＯＦＦするための電源スイッチや、撮影モードを設定するためのモードダイヤルや、撮影条件（シャッター秒時、絞り値等）を設定するためのスイッチや、レリーズボタン等の操作部材を含む。さらに、操作部１２５は、フォーカス補正情報の登録処理を指示するためにユーザにより操作される登録操作部材や、登録処理における確認入力を行うためのＯＫボタンおよびＮＧボタンが設けられている。
【００２１】
次に、図２のフローチャートを用いて、本実施例のカメラ（システムコントローラ１２６）における交換レンズ１１６のフォーカス補正情報の登録処理（制御方法）について説明する。この登録処理は、システムコントローラ１２６がコンピュータプログラムに従って実行する。該登録処理では、交換レンズ１１６およびカメラ本体１２７から被写体までの距離は固定される。また、以下の説明において、フォーカス補正情報をフォーカス補正値という。
操作部１２５の電源スイッチが操作されると、カメラ本体１２７および交換レンズ１１６に電力が供給され、システムコントローラ１２６は本処理を開始する。
【００２２】
ステップＳ１０１では、システムコントローラ１２６は、交換レンズ１１６と通信を行い、交換レンズ１１６からレンズ識別情報を取得する。
次にステップＳ１０２では、システムコントローラ１２６は、操作部１２５の登録操作部材が操作されたか否か（フォーカス補正値の登録画面を表示するか否か）を判定する。システムコントローラ１２６は、登録操作部材が操作された場合はステップＳ１０３に進み、操作されなければ本処理を終了する。
【００２３】
ステップＳ１０３では、システムコントローラ１２６は、登録画面を表示回路１２４に表示させる。そして、システムコントローラ１２６は、ステップＳ１０１にて取得したレンズ識別情報から、装着されている交換レンズ１１６が既にフォーカス補正値が登録されている交換レンズであるか否かを判定する。システムコントローラ１２６は、登録済みの交換レンズである場合はステップＳ１０４に進み、未登録の交換レンズである場合はステップＳ１０５に進む。
【００２４】
ステップＳ１０５では、システムコントローラ１２６は、登録済みのフォーカス補正値を再登録するか否か確認するための確認画面を表示回路１２４に表示させる。システムコントローラ１２６は、この状態でＯＫボタンが操作された場合は再登録を行うためにステップＳ１０４に進み、ＯＫボタンが操作されなければ本処理を終了する。
【００２５】
ステップＳ１０４では、システムコントローラ１２６は、ステップＳ１０１で取得したレンズ識別情報に交換レンズ１１６のワイド端とテレ端の焦点距離の情報が含まれているか否かを確認する。システムコントローラ１２６は、焦点距離情報が含まれている場合はステップＳ１１１に進み、含まれていない場合はＳ１０６に進む。
【００２６】
ステップＳ１０６では、表示回路１２４に、ユーザに対して交換レンズ１１６の焦点距離のワイド端への設定を指示するためのガイド画面（ガイド情報）を表示させる。例えば、「レンズをワイド端に合わせてＯＫボタンを押してください」と表示させる。ユーザが交換レンズ１１６をワイド端に操作してＯＫボタンを押すと、システムコントローラ１２６はステップＳ１０７に進む。
【００２７】
ステップ１０７では、システムコントローラ１２６は、交換レンズ１１６との通信により、交換レンズ１１６の現在の焦点距離を取得し、その値をワイド端の焦点距離としてメモリ１２１に記憶させる。そして、ステップＳ１０８に進む
ステップＳ１０８では、システムコントローラ１２６は、ユーザに対して交換レンズ１１６の焦点距離のテレ端への設定を指示するためのガイド画面を表示させる。例えば、「レンズをテレ端に合わせてＯＫボタンを押してください」と表示させる。ユーザが交換レンズ１１６をテレ端に操作してＯＫボタンを押すと、システムコントローラ１２６はステップＳ１０９に進む。
【００２８】
ステップＳ１０９では、システムコントローラ１２６は、交換レンズ１１６との通信により、交換レンズ１１６の現在の焦点距離を取得し、その値をテレ端の焦点距離としてメモリ１２１に記憶させる。そして、ステップＳ１１０に進む
ステップＳ１１０では、システムコントローラ１２６は、表示回路１２４に、ステップＳ１０７とステップＳ１０９で取得したワイド端およびテレ端の焦点距離（ワイド端からテレ端までの焦点距離範囲）を表示する。そして、表示回路１２４に、表示された焦点距離範囲が正しい否かをユーザに確認するための確認画面を表示する。システムコントローラ１２６は、ユーザがＯＫボタンを押すとステップＳ１１１に進み、ＮＧボタンを押すとステップＳ１０６に戻る。
【００２９】
ステップＳ１１１では、システムコントローラ１２６は、ワイド端からテレ端までの焦点距離範囲に応じて、実際にフォーカス補正値を取得する数と、その数に対応したフォーカス補正値を取得する特定焦点距離とを計算する。例えば、焦点距離範囲が大きいほど、フォーカス補正値の取得数を多くすることが好ましい。特定焦点距離には、テレ端およびワイド端を含めることが好ましい。そして、システムコントローラ１２６は、ステップＳ１１２に進む。
【００３０】
ステップＳ１１２では、システムコントローラ１２６は、交換レンズ１１６の現在の焦点距離（ＹＹ）が、ステップＳ１１１で計算した特定焦点距離（ＸＸ）のうちの１つに一致しているか否かを判定する。システムコントローラ１２６は、実際の焦点距離が特定焦点距離に一致している場合はステップＳ１１３に進み、一致していない場合はステップＳ１１４に進む。
ステップＳ１１４では、システムコントローラ１２６は、ユーザに、特定焦点距離に交換レンズ１１６の焦点距離を合わせることを指示するガイド画面（ガイド情報）を表示回路１２４に表示（提示）させる。このときのガイド画面の例を図３に示す。
図３において、「ＸＸ」は特定焦点距離である。システムコントローラ１２６は、テレ端が特定焦点距離の１つである場合は、テレ端の焦点距離を「ＸＸ」にまず表示させる。テレ端が特定焦点距離に含まれない場合又は既に後述するステップＳ１１３でテレ端に対応するフォーカス補正値が記憶された場合は、テレ端に最も近い焦点距離を「ＸＸ」に表示させる。この後、１つの特定焦点距離に対応するフォーカス補正値が記憶されるごとに、「ＸＸ」に表示する特定焦点距離を変更する。
「ＹＹ」は現在の焦点距離である。ユーザは、「ＹＹ」を「ＸＸ」に一致させるようにズーム操作を行えばよいので、容易に実際の焦点距離を特定焦点距離に合わせることができる。なお、このようなガイド情報は、表示回路１２４への表示に限らず、音声によってユーザに提示してもよい。
【００３１】
そして、システムコントローラ１２６は、再度ステップＳ１１２において、実際の焦点距離（ＹＹ）が特定焦点距離（ＸＸ）に一致したか否かを判定し、一致した場合はステップＳ１１３に進み、一致していない場合はステップＳ１１４を繰り返す。
ステップＳ１１３では、システムコントローラ１２６は、距離が固定された被写体に対して交換レンズ１１６のフォーカスが合うのを待つ。交換レンズ１１６のフォーカスを該被写体に合わせる方法としては、焦点検出回路１０８で算出されたデフォーカス量を用いたオートフォーカスを行う方法でもよいし、ユーザがマニュアル操作でフォーカスを合わせて操作部１２５のＯＫボタンを押す方法でもよい。
そして、システムコントローラ１２６は、交換レンズ１１６のフォーカスが合ったときのフォーカスレンズ１０１ｂの位置の情報を交換レンズ１１６から取得して、該位置からフォーカス補正値を作成する。そして、作成したフォーカス補正値を特定焦点距離に関連付けてメモリ１２１に記憶させる。単純には、交換レンズ１１６から取得したフォーカスレンズ１０１ｂの位置をそのままフォーカス補正値としてメモリ１２１に記憶させてもよい。また、被写体を照らす光源の種類等の撮影条件を公知の方法で判別し、該判別結果に応じて交換レンズ１１６から取得したフォーカスレンズ１０１ｂの位置に補正を加え、該補正後のフォーカスレンズ位置をフォーカス補正値としてメモリ１２１に記憶させてもよい。このようにして１つの特定焦点距離でのフォーカス補正値を記憶するごとに、システムコントローラ１２６はステップＳ１１５に進む。
【００３２】
ステップＳ１１５では、システムコントローラ１２６は、ステップＳ１１１で計算したすべての特定焦点距離でのフォーカス補正値の記憶が完了したか否かを判定する。システムコントローラ１２６は、該記憶が完了していない場合はステップＳ１１４に戻り、次の特定焦点距離（ＸＸ）をガイド画面に表示する。該記憶が完了した場合は、ステップＳ１１６に進む。
【００３３】
ステップＳ１１６では、システムコントローラ１２６は、すべてのフォーカスの補正値を登録するか否かの確認画面を表示回路１２４に表示させる。システムコントローラ１２６は、ユーザがＯＫボタンを押すとステップＳ１１７に進み、ＮＧボタンを押すと本処理を終了する。
【００３４】
ステップＳ１１７では、システムコントローラ１２６は、すべてのフォーカス補正値をメモリ１２１に保存（登録）し、本処理を終了する。
このようにしてメモリ１２１に記憶された複数のフォーカス補正値は、図５に示すように、交換レンズ１１６において設定可能な焦点距離（ズームレンズ位置）の範囲でのズームトラッキングデータとして用いられる。図中の白丸は、各特定焦点距離に関連付けられてメモリ１２１に記憶されたフォーカス補正値を示す。
【００３５】
ここまでの登録処理では、固定された１つの被写体距離でのフォーカス補正値を登録する場合について説明したが、同様にして様々な被写体距離でのフォーカス補正値も登録するとよい。これにより、図６に示すように、近距離から遠距離までの複数の被写体距離に対するズームトラッキングデータが得られる。
【００３６】
次に、登録されたフォーカス補正値（ズームトラッキングデータ）を用いたフォーカス補正制御（ズームトラッキング制御）について、図４のフローチャートを用いて説明する。このフォーカス補正制御は、システムコントローラ１２６がコンピュータプログラムに従って実行する。
【００３７】
ステップＳ２０１では、システムコントローラ１２６は、装着された交換レンズ１１６からレンズ識別情報を取得する。そして、ステップＳ２０２では、システムコントローラ１２６は、取得したレンズ識別情報に対応するフォーカス補正値がメモリ１２１に登録されているか否かを判定する。システムコントローラ１２６は、フォーカス補正値が登録されている場合はステップＳ２０３に進み、登録されていない場合はステップＳ２１０に進む。
【００３８】
ステップＳ２１０では、システムコントローラ１２６は、表示回路１２４に、フォーカス補正制御を行えないこと（例えば、「このレンズではズームトラッキングができません」）を表示させる。そして、本処理を終了する。
【００３９】
一方、ステップＳ２０３では、システムコントローラ１２６は、取得したレンズ識別情報に対応して登録されたすべてのフォーカス補正値をメモリ１２１から読み出す。
【００４０】
次に、ステップＳ２０４では、システムコントローラ１２６は、交換レンズ１１６において、ズーム操作（焦点距離の変更）がなされたか否かを判定する。システムコントローラ１２６は、ズーム操作がなされた場合にはステップＳ２０５に進み、ズーム操作がなされていない場合はこのステップでの判定を繰り返す。
【００４１】
ステップＳ２０５では、システムコントローラ１２６は、交換レンズ１１６からズーム操作後（変更後）の焦点距離の情報を取得し、該変更後の焦点距離に対応するフォーカス補正値を用いてフォーカスレンズ１０１ｂを移動させる。すなわち、フォーカス補正制御を行う。
【００４２】
ここで、変更後の焦点距離が前述した登録処理で設定された特定焦点距離と異なる場合は、該変更後の焦点距離に近い複数の特定焦点距離に対応するフォーカス補正値を用いた補間演算によって該変更後の焦点距離に対応するフォーカス補正値を算出すればよい。
【００４３】
以上説明したように、本実施例では、カメラ本体１２７に装着された交換レンズ１１６のフォーカス補正値をシステムコントローラ１２６にて作成することができる。このため、予めフォーカス補正値がメモリ１２１に記憶されていない交換レンズがカメラ本体１２７に装着された場合でも、システムコントローラ１２６による交換レンズ１１６のフォーカス補正制御を行うことができる。
なお、作成したフォーカス補正値を交換レンズ１１６に送信し、交換レンズ１１６内のメモリ（記憶手段）１２８に保存させるようにしてもよい。この場合、交換レンズ１１６がカメラ本体１２７に装着されたときに、システムコントローラ１２６がメモリ１２８からフォーカス補正値を読み出せば、システムコントローラ１２６による交換レンズ１１６のフォーカス補正制御を行うことができる。
以上説明した各実施例は代表的な例にすぎず、本発明の実施に際しては、各実施例に対して種々の変形や変更が可能である。
【産業上の利用可能性】
【００４４】
装着された交換レンズのフォーカス補正情報を作成してフォーカス補正制御を行える撮像装置を実現する。
【符号の説明】
【００４５】
１０１  撮影光学系
１１６  交換レンズ
１２１，１２８  メモリ
１２４  表示回路
１２５  操作スイッチ
１２６  システムコントローラ
１２７  カメラ本体
【図１】
2010256739.tif 000003
【図２】
2010256739.tif 000004
【図３】
2010256739.tif 000005
【図４】
2010256739.tif 000006
【図５】
2010256739.tif 000007
【図６】
2010256739.tif 000008